(57)【要約】      （修正有）【課題】電子機器、調理器等から漏れる電磁波の一部が人体へ到達するのを低価格で防止可能な使い捨て電磁波シールド用シートを提供する。【解決手段】厚み５〜２０μｍのアルミ箔に紙又は不織布を重ね、両者を接着手段で係止し、積層体としてなる。積層体の形状がエプロン形、ナプキン形又は膝掛け形であるのが好ましい。また、接着手段が、接着剤及び／若しくは両面テープであったり、あるいは紙又は不織布が、その表面に、微粉状の活性炭、竹炭及びトリマナイトから選ばれた１種又は２種以上を塗布したものであると一層良い。【選択図】図１
0003160841.tif 000002
【実用新案登録請求の範囲】
【請求項１】
厚み５〜２０μｍのアルミ箔に紙又は不織布を重ね、両者を接着手段で係止し、積層体としたことを特徴とする使い捨て電磁波シールド用シート。
【請求項２】
前記積層体の形状がエプロン形、ナプキン形又は膝掛け形であることを特徴とする請求項１記載の使い捨て電磁波シールド用シート。
【請求項３】
前記接着手段が、接着剤及び／若しくは両面テープであることを特徴とする請求項１又は２記載の使い捨て電磁波シールド用シート。
【請求項４】
前記紙又は不織布が、その表面に、微粉状の活性炭、竹炭及びトリマナイトから選ばれた１種又は２種以上を塗布したものであることを特徴とする請求項１〜３のいずれかに記載の使い捨て電磁波シールド用シート。
【考案の詳細な説明】
【技術分野】
【０００１】
本考案は、使い捨て電磁波シールド用シートに係わり、詳しくは、電子機器や調理器から漏れる電磁波の人体に与える影響を緩和する技術に関する。
【背景技術】
【０００２】
家電、パソコン、暖房、照明、通信機（携帯電話、カーナビを含む）、各種動力源等の普及により、それらの電動装置、各種電力設備及び制御システムからは多量の電磁波が発生する。このような電磁波は、あらゆる場所で発生するので、建物内部に入り込み、飛び交っている。そのため、現在のオフィス等、つまり我々の生活環境は様々な周波数の電磁波に曝されている。そして、電子機器の誤動作（例えば、心臓ペースメーカ）や通信機からの機密漏洩等の問題を生じさせている。また、従来より、電磁波は人体に好ましくない影響を与えると言われ、「電磁波症候群」として、疲労、倦怠感、頭痛、めまい程度の比較的軽いものから、ガンの原因とか細胞の異常成長、不妊等の深刻な影響のあることが示唆されている。そのため、欧米では電子機器からの電磁波の発生についてはかなり神経質になっており、我が国より規制が厳しいばかりでなく、その防止対策に対する国民の関心も高い。
【０００３】
一方、わが国では、タバコの喫煙については漸く規制が厳しくなってきたが、電磁波については電気業界に携わる人々の一部を除き、一般庶民は無関心である人が多い。その理由は、電磁波の人体に対する影響についての医学的な解明が遅れていることに加え、タバコの喫煙ほど、国の規制が厳しくないためと思われる。
【０００４】
そのような状況にあっても、わが国では電磁波対策が全く配慮されていないわけでなく、従来より、電気製品メーカや電気工事に係わる者は、発生源に近接した所で種々の電磁波に対する防止対策を施している。具体的には、導電性金属や磁性のある鉄等でシールドルームを設けたり（例えば、特許文献１参照）、電子機器のプラスチック製筐体には銅、銀のような金属粉を含有した塗料を塗布したり、当該金属粉をプラスチックに混入させてから成形するようにしている（例えば、特許文献２参照）。また、日本工業規格のＪＩＳ  Ｃ  ９２５０では、電子レンジからのマイクロ波の漏れ量を１．０ｍＷ／ｃｍ２に規制するようにしている（例えば、特許文献３参照）。
【０００５】
しかしながら、そのような防止対策が施されていても、前記電子機器の筐体から電磁波が漏れることは避けられない。そこで、家電を利用する一般庶民に対しては、根拠は定かでないが、電子レンジの稼動中は２ｍ以上、テレビからは２ｍ以上、冷蔵庫から５０ｃｍ以上離れること等のような家電毎の「使用上の注意事項」が提示されている。また、実際に、電磁波の発生源や漏れに近い所で作業や事務を行う人に対しては、電磁波に曝されないように、又は部分的な予防措置として、金属粉を塗布した布地や金属網で製作した作業服（特許文献４参照）やエプロン等（特許文献５参照）を着用することを義務づけている会社もある。さらに、妊婦に対しては出産までの期間、上記エプロンの着用を勧める病院も多くなっている。
【０００６】
ところが、かかるエプロンは、銅、銀、ニッケル等の比較的価格の高い金属を利用しているので、高価であるばかりでなく、重量があって着用を好まない人も多い。また、エプロンが汚れた場合、金属粉や金属網で製作されているため、洗濯機に投入して洗浄し難いという欠点もある。さらに、エプロンの着用は女性に対しては適当であっても、男性や幼児に対してはなじめないという問題もある。
【先行技術文献】
【特許文献】
【０００７】
【特許文献１】特許３０３３８２６号公報
【特許文献２】特開２００５−１７９６４１号公報
【特許文献３】特開２００５−２５７２３３号公報
【特許文献４】実開昭５８−１３５４２６号公報
【特許文献５】実開平１−６１７２３号公報
【考案の概要】
【考案が解決しようとする課題】
【０００８】
本考案は、かかる事情に鑑み、オフィス、学校、病院、料理店や一般家庭等で使用している電子機器、調理器等の筐体から、我々の生活環境に漏れる電磁波の一部が人体へ到達するのを、低価格で防止可能な「使い捨て電磁波シールド用シート」を提供することを目的としている。
【課題を解決するための手段】
【０００９】
考案者は、上記目的を達成するため鋭意研究を重ね、その成果を本考案に具現化した。すなわち、本考案は、厚み５〜２０μｍのアルミ箔に紙又は不織布を重ね、両者を接着手段で係止し、積層体としてなる使い捨て電磁波シールド用シートである。この場合、前記積層体の形状がエプロン形、ナプキン形又は膝掛け形であるのが好ましい。また、前記接着手段が、接着剤及び／若しくは両面テープであったり、あるいは前記紙紙又は不織布が、その表面に、微粉状の活性炭、竹炭及びトリマナイトから選ばれた１種又は２種以上を塗布したものであると一層良い。
【考案の効果】
【００１０】
本考案によれば、オフィス、学校、病院、料理店や一般家庭等で使用している電子機器、調理器等から漏れる電磁波の一部が人体へ到達するのを、極めて低コストで防止できる。また、エプロンが汚れても使い捨てれば良く、洗濯機に投入して洗浄する必要もない。さらに、必要に応じて、脱臭、抗菌やマイナス・イオンの発生効果を具備させることも可能である。加えて、ナプキン形状のものは、男性や幼児でも利用し易く、本考案に係る「使い捨て電磁波シールド用シート」は、男女の別なく、あたかも大気中の塵や菌から呼吸器を守る「マスク」を着用すると同様な感覚で、手軽に使用されることが期待できる。
【図面の簡単な説明】
【００１１】
【図１】本発明に係る使い捨て電磁波シールド用シートのうちのエプロン形のものを示す正面図である。
【図２】本発明に係る使い捨て電磁波シールド用シートのうちのナプキン形のものを示す図であり、（ａ）は斜視図、（ｂ）は側面図である。
【図３】アルミ箔の電磁波遮蔽性能を示す図である。
【考案を実施するための形態】
【００１２】
以下、図面を参照して本考案の実施の形態を説明する。
【００１３】
まず、考案者は、電子機器の筐体から漏れ出た電磁波を反射、吸収して、人体へ到達するのを防止する素材としてアルミ箔を選択した。このアルミ箔は、厚み１０μｍのもので、一般的な電磁波の評価方法で測定した電磁波シールド性能が、図３に示すように１００ｋＨｚ〜１．５ＧＨｚの周波数範囲（横軸参照）で５０〜６０デシベル（記号：ｄＢ）にあり、例えば、電子レンジ、コンピュータ、携帯電話等から漏れる電磁波を防止する性能が十分あるからである。ここで、縦軸の電磁波シールド性能の単位であるデシベルは、下記式で明らかなように、電磁波の強さを入力と出力の差で数値化したものである。ちなみに、２０ｄＢは，アルミ箔に衝突した電磁波が、アルミ箔の背面（出力側）では前面（入力側）の１／１０、４０ｄＢは，１／１００に減衰することを意味している。
【００１４】
ｄＢ＝−２０・ｌｏｇ（入力側の強度/出力側の強度）
そして、本考案では、このアルミ箔の厚みを５〜２０μｍに限定することにした。５μｍ未満では、薄過ぎて電磁波のシールド性能が低下するし、２０μｍ超えでは、考案者の使い捨ての方針（できるだけ資源の無駄を減らしたい）に合わないからである。また、上記厚みのアルミ箔は、薄いためハンドリングや加工上の取り扱いが非常に難しいという欠点がある。そこで、本考案では、図２に示すように、紙２又は不織布２とアルミ箔３とを重ねて積層し、互いに接着手段４で係止するようにしたのである。このようにすれば、上記欠点が解消するばかりでなく、強度が増し、使用に際しての寿命が延長できるからである。
【００１５】
なお、本発明では、紙２又は不織布２の種類は特に限定しないことにする。日常使用されている紙ならばいずれでも使用できるし、塩化ビニール等の化学繊維からなる不織布も使用できるからである。また、紙２又は不織布２の厚みも特に限定するものではなく、アルミ箔３と同程度の厚みで十分である。また、図２では、積層体を紙２又は不織布２とアルミ箔３との２枚重ねを示したが、アルミ箔３の両面側に紙２又は不織布２を重ねても良い。
【００１６】
次に、前記積層体の形状は、現実に利用されている電磁波遮蔽用エプロンに類似させて、例えば、図１に示すようなエプロン形とするのが好ましい。女性が着用するのに違和感がないからである。また、男性や幼児に対しては、図２に示すような長方形又は四角形のナプキン形又は膝掛け形であることを推奨する。エプロン形より着脱が容易であり、利用される可能性が高いからである。
【００１７】
ところで、上記の長方形又は四角形のナプキン形又は膝掛け形のシートに類似したものとして、キッチンの壁汚れ防止、家屋の床汚れ防止、屋外でバーベキュウ等を行う場合に「ゴザ」代わりに地面に敷くためのシート等がある。それらは、紙とか発砲スチロールの基地の上に、表面に凹凸模様を形成するように加工したアルミ箔が貼り付けてある。しかしながら、本考案者のテスターによる調査によれば、それらのシートは、互いに離隔した位置間の導通（導電性）がなく、電磁波シールドには適さないことが判明している。従って、本発明で利用するアルミ箔としては、その電磁波シールド性を維持するため、表面に特別な加工を施さず、製造したままの状態のものを使用することが必要である。
【００１８】
本考案での接着手段４としては、接着剤及び／若しくは両面テープが使用できる。接着剤としては、いかなる種類のものでも良いが、環境問題を配慮すると有機系樹脂のものより、例えば「大和糊」（商品名）のような無害なものが好ましい。また、接着方法は、紙とアルミ箔との両者を全面で互いに接着しても良いし、部分的に接着しても良い。ようは、利用の上で支障がなければ、いずれの方式でも構わないからである。
【００１９】
また、本考案では、上記紙又は不織布が、その表面に、微粉状の活性炭、竹炭及びトリマナイト（電気石ともいう）から選ばれた１種又は２種以上を塗布したものであると一層良い。活性炭や竹炭は、導電性があり、アルミ箔と同様に電磁波シールド性能を有しているばかりでなく、脱臭や抗菌の性能を有するので、本発明に係るシートの一層快適な利用に有効だからである。また、トリマナイトの微粉は、上記の脱臭や抗菌の効果に加え、マイナスイオンの発生効果も有するので、なお一層人体にとって有効である。
【実施例】
【００２０】
市販されている図１に示した形状の紙製又は不織布製のエプロンの裏面周囲に両面テープを張り、厚み１０μｍのアルミ箔を積層させ、本考案に係る使い捨て電磁波シールド用シートを製作した。このシートの電磁波シールド性を評価するため、一台の携帯電話を当該シートで包み、別の携帯電話からの通信用電波（周波数：８００ＭＨｚ〜１．５ＧＨｚ）を送り、応答性をチェックした。その結果、当該シートで包まれた携帯電話の応答はなく、シートの電磁波シールド性は十分にあることがわかった。  
【００２１】
図２に示すような四角形の所謂「模造紙２」の全面に大和糊（商品名）を塗り、厚み１２μｍのアルミ箔３を積層し、本考案に係る使い捨て電磁波シールド用シート１を製作した。このシートの電磁波シールド性を評価するため、電子レンジ（周波数：２．４ＧＨｚ）の筐体正面に１００ｍｍ離して当該シートを衝立のように配置し、その背面側に測定装置（商品名：トリノメータ）を配置して、マイクロ波の強度を測定した。その結果、本考案に係る使い捨て電磁波シールド用シートを配置しなかった場合には、０．２〜０．３ｍＷ／ｃｍ２であった測定値が、当該シートの背面で０．１ｍＷ／ｃｍ２と低下し、周囲からの回り込みの電磁波が存在しているにも拘わらず、シールド効果のあることを示した。また、前記模造紙に代え、活性炭の微粉を塗布した紙を使用したところ、前記測定値は０．０５ｍＷ／ｃｍ２になり、シールド効果の増加が認められた。
【００２２】
一方、比較のため、前記キッチン壁の汚れ防止用シートの電磁波シールド性を上記と同様の方法で評価したが、シールド性は確認できなかった。
【００２３】
なお、本考案に係る使い捨て電磁波シールド用シートの寿命は、使用者の取り扱いに依存するが、丁寧な使用で１カ月以上の使用ができることが明らかになった。また、その電磁波のシールド性は、当該シートをアースさせると一層効果が高まることが判明している。さらに、当該シートの表面には、美観を呈するように、絵画、イラスト等を描いたり、ステッカ等を貼り付けるのが好ましい。加えて、当該シートの廃棄は、資源のリサイクル利用という観点から分別回収に協力し、紙又は不織布とアルミ箔とを分離して行うのが好ましい。
【符号の説明】
【００２４】
１    電磁波シールド用シート
２    紙又は不織布
３    アルミ箔
４    接着手段
【図１】
0003160841.tif 000003
【図２】
0003160841.tif 000004
【図３】
0003160841.tif 000005